(57)【要約】  患者状態モニタリング方法１００を実行するために、表示装置６０に動作可能に接続された少なくとも１つの電子プロセッサ５６によって読み取り可能かつ実行可能な命令を格納する非一時的記憶媒体であって、前記方法は、少なくとも１つのデータベース５２から患者の医療情報を取り出すステップと、取り出された前記医療情報に臨床意思決定支援ＣＤＳ処理５４を適用することによって、少なくとも神経系システム、心血管系システム、及び呼吸器系システムを含む複数の身体システム又は生理機能のそれぞれについて状態を計算するステップと、前記複数の身体システム又は生理機能に対応する複数のアイコンセクション１２、１４、１６、１８、２０、２２、２４を有する患者状態アイコン１０を前記表示装置上に表示するステップであって、各アイコンセクションは、前記患者の対応する前記身体システム又は生理機能の計算された前記状態を表すグラフィカル符号化によって表示される、ステップとを含む、非一時的記憶媒体である。
2020510933.tif 000002
【特許請求の範囲】
【請求項１】
患者状態モニタリング方法を実行するために、表示装置に動作可能に接続された少なくとも１つの電子プロセッサによって読み取り可能かつ実行可能な命令を格納する非一時的記憶媒体であって、前記患者状態モニタリング方法は、
少なくとも１つのデータベースから患者の医療情報を取り出すステップと、
取り出された前記医療情報に臨床意思決定支援処理を適用することによって、少なくとも神経系システム、心血管系システム、及び呼吸器系システムを含む複数の身体システム又は生理機能のそれぞれについて状態を計算するステップと、
前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態を表すグラフィカル符号化で表示される、ステップとを含む、非一時的記憶媒体。
【請求項２】
前記患者状態アイコンの前記複数のアイコンセクションは、
前記心血管系システムに対応し、前記アイコンの中央に位置する領域を含む心血管アイコンセクションと、
前記神経系システムに対応し、前記心血管アイコンセクションの上に位置する領域を含む神経アイコンセクションと、
前記呼吸器系システムに対応し、前記患者状態アイコン内の前記心血管アイコンセクションの左右にそれぞれ位置する領域を含む左サブセクション及び右サブセクションを含む呼吸アイコンセクションとを含む、請求項１に記載の非一時的記憶媒体。
【請求項３】
前記複数の身体システム又は生理機能はさらに全身感染生理機能を含み、
前記患者状態アイコンの前記複数のアイコンセクションはさらに、前記全身感染生理機能に対応する全身感染アイコンセクションを含み、前記全身感染アイコンセクションは、前記患者状態アイコンの外側境界を含む、請求項１又は２に記載の非一時的記憶媒体。
【請求項４】
前記複数の身体システム又は生理機能はさらに、（ｉ）消化器系システムと（ｉｉ）腎系システムとのうちの少なくとも一方を含み、
前記患者状態アイコンの前記複数のアイコンセクションはさらに、（ｉ）前記消化器系システムに対応し、前記心血管アイコンセクションの下に位置する胃腸アイコンセクションと、（ｉｉ）前記腎系システムに対応し、前記心血管アイコンセクションの下に位置する腎臓アイコンセクションとのうちの少なくとも一方を含む、請求項１乃至３のいずれか一項に記載の非一時的記憶媒体。
【請求項５】
前記複数の身体システム又は生理機能はさらに血液生理機能を含み、
前記患者状態アイコンの前記複数のアイコンセクションはさらに、前記血液生理機能に対応する血液アイコンセクションを含み、前記血液アイコンセクションは、前記患者状態アイコンの内側境界線を含む、請求項１乃至４のいずれか一項に記載の非一時的記憶媒体。
【請求項６】
各アイコンセクションは、前記患者の対応する前記身体システム又は生理機能の計算された前記状態を表す色を含むグラフィカル符号化で前記表示装置上に表示される、請求項１乃至５のいずれか一項に記載の非一時的記憶媒体。
【請求項７】
前記グラフィカル符号化は、白色が対応する前記身体システム又は生理機能の通常の計算された状態を表し、黄色が対応する前記身体システム又は生理機能の重大ではない異常な計算された状態を表し、赤色が対応する前記身体システム又は生理機能の重大な異常な計算された状態を表す符号化スキームに従う、請求項１乃至６のいずれか一項に記載の非一時的記憶媒体。
【請求項８】
白色、黄色、又は赤色以外の背景色は、対応する前記身体システム又は生理機能の不確定の計算された状態を表す符号化スキームに従う、請求項７に記載の非一時的記憶媒体。
【請求項９】
前記患者状態モニタリング方法はさらに、
取り出された前記医療情報から、前記複数の身体システム又は生理機能のうちの治療を受けている身体システム又は生理機能の治療のために前記患者に送達されている医薬療法を識別するステップと、
前記患者状態アイコンを前記表示装置上に表示する前記ステップは、治療を受けている前記身体システム又は生理機能に対応する前記アイコンセクションに前記医薬療法を表す医薬療法インジケータの注釈を付すステップとを含む、請求項１乃至８のいずれか一項に記載の非一時的記憶媒体。
【請求項１０】
前記医薬療法インジケータは、前記医薬療法によって生成される前記患者を流れる流体の流れを表す１つ又は複数の矢印を含む、請求項９に記載の非一時的記憶媒体。
【請求項１１】
前記患者状態アイコンを前記表示装置上に表示する前記ステップは、前記患者の医療ワークフロー状態を示す形状を有する前記患者状態アイコンを表示するステップを含み、前記医療ワークフロー状態は、術前ワークフロー状態、術中状態、術後状態、成人患者状態、小児患者状態、及び母親と胎児両方の状態を示す妊娠状態のうちの少なくとも１つを含む、請求項１乃至１０のいずれか一項に記載の非一時的記憶媒体。
【請求項１２】
少なくとも１つのデータベースから患者の医療情報を取り出すステップと、
取り出された前記医療情報に臨床意思決定支援処理を適用することによって、少なくとも神経系システム、心血管系システム、及び呼吸器系システムを含む複数の身体システム又は生理機能のそれぞれについて状態を計算するステップと、
前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態のカラー符号化で表示される、ステップとを含み、身体システムに対応する前記アイコンセクションは、前記患者の身体の冠状面における対応する前記身体システムのマップを形成する、患者状態モニタリング方法。
【請求項１３】
前記複数の身体システム又は生理機能はさらに、少なくとも全身感染生理機能、消化器系システム、腎系システム、及び血液生理機能を含み、
前記患者状態アイコンを表示する前記ステップは、
前記心血管系システムに対応し、前記アイコンの中央に位置する領域を含む心血管アイコンセクションと、
前記神経系システムに対応し、前記心血管アイコンセクションの上に位置する領域を含む神経アイコンセクションと、
前記呼吸器系システムに対応し、前記患者状態アイコン内の前記心血管アイコンセクションの左右にそれぞれ位置する領域を含む左サブセクション及び右サブセクションを含む呼吸アイコンセクションと、
前記全身感染生理機能に対応し、前記患者状態アイコンの外側境界を含む全身感染アイコンセクションと、
前記消化器系システムに対応し、前記心血管アイコンセクションの下に位置する領域を含む胃腸アイコンセクションと、
前記腎系システムに対応し、前記心血管アイコンセクションの下に位置する領域を含む腎臓アイコンセクションと、
前記血液生理機能に対応し、前記患者状態アイコンの内側境界線を含む血液アイコンセクションとを含む前記複数のアイコンセクションを有する前記患者状態アイコンを表示するステップを含む、請求項１２に記載の方法。
【請求項１４】
前記患者状態アイコンを表示する前記ステップは、
各アイコンセクションを、前記患者の対応する前記身体システム又は生理機能の計算された前記状態を表す色によってカラー符号化するステップを含み、前記カラー符号化は、
白色が対応する前記身体システム又は生理機能の通常の計算された状態を表し、
黄色が対応する前記身体システム又は生理機能の重大ではない異常な計算された状態を表し、
赤色が対応する前記身体システム又は生理機能の重大な異常な計算された状態を表し、
白色、黄色、又は赤色以外の背景色が対応する前記身体システム又は生理機能の不確定の計算された状態を表す符号化スキームに従う、請求項１２又は１３に記載の方法。
【請求項１５】
取り出された前記医療情報から、前記複数の身体システム又は生理機能のうちの治療を受けている身体システム又は生理機能の治療のために前記患者に送達されている医薬療法を識別するステップと、
治療を受けている前記身体システム又は生理機能に対応する前記アイコンセクションに前記医薬療法を表す医薬療法インジケータの注釈を付すステップとをさらに含み、前記医薬療法インジケータは、前記医薬療法によって生成される前記患者を流れる流体の流れを表す１つ又は複数の矢印を含む、請求項１２乃至１４のいずれか一項に記載の方法。
【請求項１６】
前記患者状態アイコンを前記表示装置上に表示する前記ステップはさらに、
前記患者の医療ワークフロー状態を示す形状を有する前記患者状態アイコンを表示するステップを含み、前記医療ワークフロー状態は、術前ワークフロー状態、術中状態、術後状態、成人患者状態、小児患者状態、及び母親と胎児両方の状態を示す妊娠状態のうちの少なくとも１つを含む、請求項１２乃至１５のいずれか一項に記載の方法。
【請求項１７】
少なくとも、患者の神経系システム情報、前記患者の心血管系システム情報、及び前記患者の呼吸器系システム情報を含む、前記患者の医療情報を保有する少なくとも１つのデータベースと、
前記患者の前記神経情報、前記心血管情報、及び前記呼吸情報のそれぞれの状態を計算するために臨床意思決定支援処理を適用する臨床意思決定システムであって、各計算される状態は、前記患者の状態が正常であることを示す第１の状態、前記患者の状態が異常ではあるが重大ではないことを示す第２の状態、前記患者の状態が重大であることを示す第３の状態、及び前記患者の状態が不明であることを示す第４の状態のうちの１つである、臨床意思決定システムと、
少なくとも１つの電子プロセッサであって、
１つ又は複数の境界線で分割された複数のセクションを有するアイコンを生成することであって、前記複数のセクションは少なくとも、前記アイコンの頂部に位置する領域を含む神経情報のためのセクション、前記アイコンの中央に位置する領域を含む心血管情報のためのセクション、及び垂直方向沿いに前記アイコンの中央であって、水平方向沿いに前記心血管情報のためのセクションの両側に位置する領域を含む呼吸情報のためのセクションを含む、生成することと、
各セクションが第１の色、第２の色、第３の色、又は第４の色のうちの１つを有するように、対応する前記身体システムの前記患者の計算された状態に基づいて前記アイコンの対応する前記セクションをグラフィカルに符号化することであって、前記第１の色は第１の状態に対応し、前記第２の色は第２の状態に対応し、白色を含み、前記第３の色は第３の状態に対応し、前記第１及び第２の色とは異なる色を含み、前記第４の色は第４の状態に対応し、前記第１、第２、及び第３の色とは異なる白色以外の色を含む、符号化することとを実行するようにプログラムされた電子プロセッサと、
各セクションが前記第１、第２、第３、又は第４の状態のうちの１つである前記アイコンを表示する表示装置とを含む、患者状態モニタリング装置。
【請求項１８】
前記少なくとも１つのデータベースは、前記患者の全身感染生理機能、前記患者の消化器系システム情報、前記患者の腎系システム情報、及び前記患者の血液生理機能情報を少なくとも含む、前記患者の医療情報をさらに記憶し、
前記臨床意思決定システムはさらに、ＣＤＳ処理を適用して、前記患者の前記全身感染生理機能、前記消化器系システム情報、前記腎系システム情報、及び前記血液生理機能情報のそれぞれの第１、第２、第３、又は第４の状態を計算し、
前記少なくとも１つのプロセッサはさらに、
前記全身感染生理機能に対応し、前記患者状態アイコンの外側境界を含む全身感染アイコンセクションと、前記消化器系システムに対応し、前記心血管アイコンセクションの下に位置する胃腸アイコンセクションと、前記腎系システムに対応し、前記心血管アイコンセクションの下に位置する腎臓アイコンセクションと、前記血液生理機能に対応し、前記患者状態アイコンの内側境界線を含む血液アイコンセクションとのうちの少なくとも１つを含むように前記アイコンを生成することと、
各身体システム又は生理機能の計算された前記状態に基づいて、対応する前記全身感染アイコンセクション、前記胃腸アイコンセクション、前記腎臓アイコンセクション、及び前記血液アイコンセクションをグラフィカルに符号化することとを実行するようにプログラムされる、請求項１７に記載の患者状態モニタリング装置。
【請求項１９】
前記少なくとも１つのプロセッサはさらに、
取り出された前記医療情報から、前記複数の身体システム又は生理機能のうちの治療を受けている身体システム又は生理機能の治療のために前記患者に送達されている医薬療法を識別することと、
治療を受けている前記身体システム又は生理機能に対応する前記アイコンセクションに前記医薬療法を表す医薬療法インジケータの注釈を付すことであって、前記医薬療法インジケータは、前記医薬療法によって生成される前記患者を流れる流体の流れを表す１つ又は複数の矢印を含む、注釈を付すこととを実行するようにプログラムされる、請求項１７又は１８に記載の患者状態モニタリング装置。
【請求項２０】
前記少なくとも１つのプロセッサはさらに、
前記患者の医療ワークフロー状態を示す形状を有するように前記患者状態アイコンを生成するようにプログラムされ、前記医療ワークフロー状態は、術前ワークフロー状態、術中状態、術後状態、成人患者状態、小児患者状態、及び母親と胎児両方の状態を示す妊娠状態のうちの少なくとも１つを含み、
前記患者状態アイコンの前記形状が前記表示装置上に表示される、請求項１７乃至１９のいずれか一項に記載の患者状態モニタリング装置。
【発明の詳細な説明】
【技術分野】
【０００１】
以下は、一般的に、患者モニタリング技術、患者状態モニタリング技術、呼吸モニタリング技術、心血管モニタリング技術、神経モニタリング技術、コンピュータアイコン生成技術、及び関連技術に関する。
【背景技術】
【０００２】
臨床医（例えば看護師や医師など、病院やその他の臨床環境で患者を治療する者）の重要な責任の１つは、患者の状態をモニタリング及び評価することである。しかし、特に集中治療室（ＩＣＵ）、心臓治療室（ＣＣＵ）、又は他の救急治療室の患者の場合、この患者のモニタリング及び評価は困難である。救急治療室の臨床医は、複数のソースからの大量の患者データを浴びせられる。このデータは、デバイス、他のシステム、及び患者評価から取得される。ある研究では、一日当たり、成人のＩＣＵチャートにおいて平均で１３４１の臨床データアイテムが記されたことがわかった（Ｍａｎｏｒ−Ｓｈｕｌｍａｎ  Ｏ、Ｂｅｙｅｎｅ  Ｊ、Ｆｒｎｄｏｖａ  Ｈ、Ｐａｒｓｈｕｒａｍ  ＣＳ．Ｑｕａｎｔｉｆｙｉｎｇ  ｔｈｅ  ｖｏｌｕｍｅ  ｏｆ  ｄｏｃｕｍｅｎｔｅｄ  ｃｌｉｎｉｃａｌ  ｉｎｆｏｒｍａｔｉｏｎ  ｉｎ  ｃｒｉｔｉｃａｌ  ｉｌｌｎｅｓｓ．Ｊ  Ｃｒｉｔ．Ｃａｒｅ  ２００８；２３（２）：２４５−２５０を参照されたい）。同研究では、特定の治療を受けている子供の場合、これが２３５４まで増加したことが認められた。この課題は、データを情報に変換し、さらに知識に、そして知恵に変換することを説明するＤＩＫＷピラミッドでさらに表現されている（Ｈｅｎｒｙ、Ｎｉｃｈｏｌａｓ  Ｌ．（１９７４年５〜６月）．“Ｋｎｏｗｌｅｄｇｅ  Ｍａｎａｇｅｍｅｎｔ：Ａ  Ｎｅｗ  Ｃｏｎｃｅｒｎ  ｆｏｒ  Ｐｕｂｌｉｃ  Ａｄｍｉｎｉｓｔｒａｔｉｏｎ”．Ｐｕｂｌｉｃ  Ａｄｍｉｎｉｓｔｒａｔｉｏｎ  Ｒｅｖｉｅｗ  ３４（３）：１８９．ｄｏｉ：１０．２３０７／９７４９０２．ＪＳＴＯＲ ９７４９０２）。データが情報又は知識に変換されるまで、臨床評価及び決定を効果的又は効率的に行うことはできない。多くの場合、これは臨床医自身によって行われるので、遅延及び／又はエラーにつながり得る。一部の医療情報システムは、大量のデータを自動化されたフォーマットで提示するが、実質的な後処理を伴わない生データとして提示する。
【０００３】
一部のシステムは、データを情報と知識に変換することによって、臨床医の認知的負荷を軽減し、医療的決定をより効果的にする。あるアプローチでは、患者状態モニタリングシステムは、患者ごとの「ダッシュボード」を表示し、これには、ベッドにいる患者の複数の身体システムアイコンからなる列又は行列が含まれる。各身体システムアイコンは、対応する身体システム（例えば心血管系、呼吸器系など）の状態を色で示す。ある従来のカラースキームでは、白色は正常、黄色は異常、赤色は重度の障害を示す。身体システムアイコンを用いた患者の状態表示は、臨床情報システムでよく見られるアプローチである。患者の健康状態は、適切な医療専門家又は医療分野固有の医療機関によって開発された臨床意思決定支援（ＣＤＳ）アルゴリズムを適用することにより適切に決定される。患者状態モニタは多数の患者をモニタリングし、例えば、集中治療室の患者ごとに別々の身体システムアイコンのダッシュボードを使用して、集中治療室の全ての患者がモニタリングされ得る。
【０００４】
以下は、これらの問題を克服するための新規かつ改良されたシステム及び方法を開示する。
【発明の概要】
【０００５】
本開示の一側面では、非一時的記憶媒体は、患者状態モニタリング方法を実行するために、表示装置に動作可能に接続された少なくとも１つの電子プロセッサによって読み取り可能かつ実行可能な命令を格納し、前記方法は、少なくとも１つのデータベースから患者の医療情報を取り出すステップと、取り出された前記医療情報に臨床意思決定支援（ＣＤＳ）処理を適用することによって、少なくとも神経系システム、心血管系システム、及び呼吸器系システムを含む複数の身体システム又は生理機能のそれぞれについて状態を計算するステップと、前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態を表すグラフィカル符号化によって表示される、ステップとを含む。
【０００６】
本開示の他の側面では、患者状態モニタリング方法は、少なくとも１つのデータベースから患者の医療情報を取り出すステップと、取り出された前記医療情報に臨床意思決定支援（ＣＤＳ）処理を適用することによって、少なくとも神経系システム、心血管系システム、及び呼吸器系システムを含む複数の身体システム又は生理機能のそれぞれについて状態を計算するステップと、前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態のカラー符号化で表示される、ステップとを含み、身体システムに対応する前記アイコンセクションは、前記患者の身体の冠状面における対応する前記身体システムのマップを形成する。
【０００７】
本開示の他の側面では、患者状態モニタリング装置は、患者の医療情報を含む少なくとも１つのデータベースを含む。前記患者の前記医療情報は、少なくとも患者の神経系システム情報、患者の心血管系システム情報、及び患者の呼吸器系システム情報を含む。臨床意思決定システムは、患者の神経情報、心血管情報、及び呼吸情報のそれぞれの状態を計算するために臨床意思決定支援（ＣＤＳ）処理を適用するように構成される。各計算される状態は、前記患者の状態が正常であることを示す第１の状態、前記患者の状態が異常ではあるが重大ではないことを示す第２の状態、前記患者の状態が重大であることを示す第３の状態、及び前記患者の状態が不明であることを示す第４の状態のうちの１つである。少なくとも１つの電子プロセッサは、１つ又は複数の境界線で分割された複数のセクションを有するアイコンを生成することであって、前記複数のセクションは少なくとも、前記アイコンの頂部に位置する領域を含む神経情報のためのセクション、前記アイコンの中央に位置する領域を含む心血管情報のためのセクション、及び垂直方向沿いに前記アイコンの中央であって、水平方向沿いに前記心血管情報のためのセクションの両側に位置する領域を含む呼吸情報のためのセクションを含む、生成することと、各セクションが第１の色、第２の色、第３の色、又は第４の色のうちの１つを有するように、対応する前記身体システムの前記患者の計算された状態に基づいて前記アイコンの対応する前記セクションをグラフィカルに符号化することであって、前記第１の色は第１の状態に対応し、前記第２の色は第２の状態に対応し、白色を含み、前記第３の色は第３の状態に対応し、前記第１及び第２の色とは異なる色を含み、前記第４の色は第４の状態に対応し、前記第１、第２、及び第３の色とは異なる白色以外の色を含む、符号化することとを実行するようにプログラムされる。表示装置は、各セクションが前記第１、第２、第３、又は第４の状態のうちの１つである前記アイコンを表示するように構成される。
【０００８】
１つの利点は、少数の患者を含むディスプレイ、又は任意選択的に、患者集団をモニタリングするディスプレイで使用可能な、視覚的に強力な患者状態アイコンを備えた患者状態モニタを提供することにある。
【０００９】
他の利点は、ホワイトボードで使用できるように、かつ、患者の機密性の懸念に対処できるように、大衆には十分にわかりにくい患者状態アイコンを提供することにある。
【００１０】
他の利点は、身体システムの位置に視覚的にマッピングするセクションを有する患者状態アイコンを提供することにあり、これにより、表現される構成身体システム又は生理機能の迅速な把握が容易になる。
【００１１】
他の利点は、特に危険にさらされている身体システムについて強力な視覚的表現を提供する患者状態アイコンを提供することにある。
【００１２】
他の利点は、異なるタイプの患者又は異なる治療段階の患者を区別するために様々な形状の患者状態アイコンを提供することにある。
【００１３】
他の利点は、患者に投与されている治療法を示す追加のビジュアルを備えた患者状態アイコンを提供することにある。
【００１４】
他の利点は、選択されたセクションに対応する身体システムについてのさらなる詳細を知るために選択可能な機能を備えた患者状態アイコンを提供することにある。
【００１５】
所与の実施形態は、上記利点のうちのいずれも提供しない、又は１つ、２つ以上、又は全てを提供し、かつ／又は、本開示を読んで理解した当業者が想到する他の利点を提供し得る。
【図面の簡単な説明】
【００１６】
本開示は、様々な構成要素及び構成要素の配置の形態、並びに様々なステップ及びステップの配置の形態を取り得る。図面は、好ましい実施形態を例示する目的のためだけのものであり、本発明を限定するものとして解釈されるべきではない。
【図１】図１は、一側面に係る患者状態アイコンを図式的に示す。
【図２Ａ−２Ｂ】図２Ａ及び図２Ｂは、図１の患者状態アイコンを図式的に示し、異なるセクションに陰影が付けられている。
【図３】図３は、一側面に係る患者の呼吸を測定するための装置を図式的に示す。
【図４】図４は、図１のアイコンを生成するための動作フローチャートを図式的に示す。
【図５Ａ−５Ｄ】図５Ａ〜図５Ｄは、図１のアイコン上に医薬療法アイコンを図式的に示す。
【図６Ａ−６Ｅ】図６Ａ〜図６Ｅは、図１のアイコンの様々な形状を図式的に示す。
【図７】図７は、患者情報を有する表示画面を図式的に示し、ここから図１のアイコンを表示することができる。
【図８】図８は、図７の選択された患者を、図１の対応する患者状態アイコンとともに図式的に示す。
【発明を実施するための形態】
【００１７】
以下は、例えば、ホワイトボード上の多数の類似するアイコン、又は大規模な医療施設における看護師のモニタリングステーション概観画面上の多数の類似するアイコンなど、小さいスケールで表示される場合により容易に解釈されるように設計された新規の患者状態アイコンに関する。既存のアイコンは、正常、異常、又は重大（例えば、それぞれ白色、黄色、赤色）を表すために色分けされ得る様々な身体システム（例えば、脳／神経、心臓、呼吸）を表す既知のシンボルを使用する。
【００１８】
現在のアイコンシステムにはいくつかの欠点がある。一部の情報システムは、しばしば数百人にのぼる集中治療患者のケアを管理する。しかし、身体システムのアイコンは、集団（ｐｏｐｕｌａｔｉｏｎ）表示内で危険にさらされている患者を識別するのに十分なほど視覚的に強くない。スクリーンをレビューする医師は、複数の患者をレビューして、特別な注意が必要な患者を特定できなければならない。しかし、各患者ベッドダッシュボードの身体システムアイコンの列は、ディスプレイ上の多数に患者が収めるために縮小する必要がある。この縮小されたサイズでは、看護師又は医師が、臨床的に緊急の問題を示している単一の患者の単一の身体システムアイコンを分離して認識することは困難である。
【００１９】
別の懸念は、患者のプライバシーに関するものである。病院のほとんどの治療室では、中央ステーション近くの壁に、患者、患者の部屋、及び年齢、性別、健康状態などの重要な情報を列挙するホワイトボードが設けられている。これは、チームコミュニケーションのための貴重なツールであり、例えば、看護師のシフト交代中、又は医師が治療室内の患者を訪問するときに重要な情報を伝達することを可能にする。ホワイトボードを手動で更新するのは手間がかかり、また、エラーが発生しやすくなる可能性がある。患者の状態モニタを活用して、各患者の状態が対応するベッドアイコンで表される電子的な「ホワイトボード」を表示すると好都合であろう。ただし、上記と同様に、患者状態モニタの既存のダッシュボードは視覚的に強力な表現を提供しない。「視覚的に強力な」表現は、詳細な精査することなく（表現をざっと読むことにより）簡単に解釈できる簡潔な態様で患者情報を伝える必要があり、看護師又は医師がディスプレイをスキャンしたときに瞬時に把握できる態様で、重大状態にある身体システム又は生理機能の指標などの重大情報、施されている重大治療（機械的換気、昇圧剤治療など）の識別、及び状態（術前、術後など）などの一般的患者情報を伝達する。
【００２０】
開示される患者アイコンは、冠状面において人体のレイアウトにマッピングする幾何学的形状を使用する。冠状面は、身体を背部と腹部（後ろと前、又は後部と前部）に分割する標準的な解剖学的平面である。冠状面は前頭面と呼ばれることもある。冠状面では、心臓（心血管系の最も重要な構成要素）が中心に位置し、頭部（脳を収容する、すなわち、神経系システムの最も重要な構成要素）は心臓の上部にあり、心臓の両側に左右の肺（呼吸器系の最も重要な構成要素）が位置する。冠状面における重要臓器のこのようなマッピングによれば、例示的患者アイコンは、心臓領域及び呼吸器領域を他の領域と比較してより大きく中央に配置し、これらの生命に重要な身体システムを強調する。（心臓領域及び呼吸器領域を大きくすることは、個人差がある実際の相対的臓器サイズを反映しない可能性があるが、これらの生命に重要な身体システムの重要性を反映する）。結果としてのアイコンは、小さいスケールに縮小されたときに読みやすくなり、人体に沿ったレイアウトにより、アイコンの直感性が向上する。一部の実施形態では、１つ又は複数の生理機能の状態がさらに表現され、例えば、血液学的状態を表すために境界線がさらに表現され得る。
【００２１】
開示される患者状態アイコンの別の任意選択的な側面は、好ましくは流体の流れ又は他の治療活動のグラフィカル表現を使用して、治療を表すことである（例えば、昇圧剤治療を表すために示される狭窄）。別の任意選択的な側面は、白色を使用して正常な身体システムを示し、これに対比して、背景色を使用して状態が不明なシステムを表すことである。これは、システムが正常であるか又は不明であるかを知ることが医療意思決定に大きな影響を与える可能性があるため、有用である。また、様々な医療ワークフロー状態、例えば術前／術後を表すための様々なアイコン形状、又は、特定の医療カテゴリ、例えば妊娠中の患者の胎児の状態を表す追加中央部分を表すためのバリエーションが存在し得る。
【００２２】
図１を参照すると、患者の１つ又は複数の身体システム又は生理機能の状態を表示するための例示的な患者状態アイコン１０が示されている。図１に示すように、患者状態アイコン１０は、複数のセクション又は領域１２、１４、１６、１８、２０、及び２２を含む。これらの各セクションは、患者の各身体システム又は病理機能に対応する（例えば、心血管系システム、呼吸器系システム、神経系システム、消化器系（ＧＩ）システム、腎系システム、血液生理機能、全身感染生理機能など）。例えば、患者状態アイコン１０は、少なくとも心血管アイコンセクション１２、神経アイコンセクション１４、及び呼吸アイコンセクション１６を含む。図１に示すように、心血管アイコンセクション１２は心血管系に対応し、アイコン１０の中央に位置する領域を含む。神経アイコンセクション１４は神経系システムに対応し、心血管アイコンセクション１２の上に位置する領域を含む。呼吸アイコンセクション１４は呼吸器系に対応し、心血管アイコンセクション１２の左右にそれぞれ位置する領域を含む左サブセクション及び右サブセクションを含む。
【００２３】
例示的患者状態アイコン１０はまた、消化器系システムに対応する胃腸（ＧＩ）アイコンセクション１８を含む。ＧＩアイコンセクション１８は、心血管アイコンセクション１２の下に位置する領域を含む。腎系システムに対応する腎臓アイコンセクション２０も、心血管アイコンセクション１２の下に位置し、すなわち、心血管セクション１２の下に位置する領域を含む。例示的ＧＩアイコンセクション１８は、腎臓アイコンセクション２０の左右にそれぞれ位置する領域を含む左サブセクション及び右サブセクションを含む。
【００２４】
一部のセクションは、アイコンの領域特徴以外のものとして具現化され得る。例えば、例示的な患者状態アイコン１０は、さらに、全身感染生理機能に対応する全身感染アイコンセクション２２を備える。全身感染アイコンセクション２２は、典型的には患者の体組織の第部分、場合によっては全部に感染する全身感染の生理機能をグラフィカルに捉える患者状態アイコン１０の外側境界を含む。別の例として、血液生理機能に対応する血液アイコンセクション２４は、患者状態アイコン１０の内側境界線２６を含む。
【００２５】
有利には、心血管アイコンセクション１２、神経アイコンセクション１４、及び呼吸アイコンセクション１６は、これらの生命に関わる身体システムを強調するために、他のアイコンセクション１８、２０、２２、及び２４よりも面積が大きい。図２Ａ及び図２Ｂに示すように、アイコンセクション１２、１４、１６、１８、２０、２２、及び２４のいずれかが、それぞれの身体システム又は生理機能の状態を表す色で塗りつぶされているとき（以下に詳細に説明されるように）、生命に重要なアイコンセクション１２、１４、及び１６の塗りつぶされている領域は（図２Ａ）、他のアイコンセクション１８、２０、２２、及び２４の塗りつぶされている領域（図２Ｂ）よりも目立つ。これらの身体システム及び生理機能に関連する情報の全体的収集は、患者の短期的な生存のために重要であると考えられる。例えば、対応する身体システム又は生理機能の状態が重大であることを示すようにアイコンセクションが色づけされている場合、患者の対応する身体システム又は生理機能の死又は永久的な障害が発生する可能性がある。
【００２６】
患者状態アイコン１０は、患者状態モニタリング装置５０（図３）によって実行される患者状態モニタリング方法１００（図４）によって生成される。最初に図３を参照すると、患者状態モニタリング装置５０は、少なくとも１つの電子患者医療データベース５２、例えば、電子医療記録（ＥＭＲ）データベース、電子健康記録（ＥＨＲ）データベース、心血管情報システム（ＣＶＩＳ）、又はこれらの様々な組み合わせなどを含む又は（少なくとも）このようなデータベースへの読み取りアクセス権を有する。データベース５２は、少なくとも患者の神経系システム情報、患者の心血管系システム情報、及び患者の呼吸器系システム情報を含む、患者の医療情報を記憶及び保有する。また、データベース５２は、患者の全身感染生理機能に関連する医療情報、患者の消化器系システム情報、患者の腎系システム情報、及び患者の血液生理機能情報を含むことができる。
【００２７】
医療データベース５２は、様々な身体システム（心血管、呼吸器、神経など）及び生理機能（血液生理機能、全身感染生理機能など）の状態の評価に関連するデータを有する。しかし、このデータは、これらの様々な身体システム及び生理機能の状態を評価するために直接使用することはできない。
【００２８】
医療データベース５２に含まれる医療データから身体システム及び生理機能状態情報を生成するために、患者状態モニタリング装置５０は、以下により詳細に記載されるように、臨床意思決定支援（ＣＤＳ）処理を適用して患者の各身体システム及び生理機能の状態を計算するように構成された臨床意思決定システム（ＣＤＳ）５４をさらに含む。少なくとも１つのプロセッサ５６（例えば、コンピュータ５８上に実装される）は、身体システム及び生理機能の計算された状態に基づいて患者状態アイコン１０を生成するようにプログラムされる。（例えばコンピュータ５８の）表示装置６０は、医療専門家による使用に供するために、生成された患者状態アイコン１０を表示するように構成される。
【００２９】
図４を参照すると、患者状態モニタリング装置５０によって適切に実行される患者状態モニタリング方法１００が記載されている。１０２において、患者の医療情報が少なくとも１つのデータベース５２から取り出される。１０４において、取り出された医療情報にＣＤＳ５４によって臨床意思決定支援（ＣＤＳ）処理を適用することによって、少なくとも神経系システム、心血管系システム、及び呼吸器系システムを含む複数の身体システム又は生理機能のそれぞれについて状態が計算される。１０６において、複数の身体システム又は生理機能に対応する複数のアイコンセクション１２、１４、１６、１８、２０、２２、及び２４を有する患者状態アイコン１０が表示装置６０に表示され、ここで、各アイコンセクションは、患者の対応する身体システム又は生理機能の計算された状態を表すグラフィカル符号化によって表示される。
【００３０】
１０２において、医療情報がデータベース５２から取り出される。医療情報は、心血管系システム、呼吸器系システム、神経系システムの情報だけでなく、患者の消化器系（ＧＩ）システム、腎系システム、血液生理機能、全身感染生理機能の情報も含み得る。データベース５２から取り出される具体的情報は、ＣＤＳ５４によって実行されるＣＤＳ処理が要求される入力に依存する。
【００３１】
１０４において、ＣＤＳ５４は、ＣＤＳ処理を用いて、データベース５２から取り出された情報に関する各身体システム又は生理機能の状態を計算する。例えば、ＣＤＳ処理は、各身体システム又は生理機能について、複数の可能性のある状態の閉集合に属する状態、例えば、少なくとも第１の状態、第２の状態、第３の状態、及び第４の状態を含む閉集合を出力できる。ある例では、第１の状態は、アイコン１０の対応するセクション１２、１４、１６、１８、２０、２２、及び２４によって表される患者の状態が正常であることを示す。２番目の状態は、アイコン１０の対応するセクション１２、１４、１６、１８、２０、２２、及び２４で表される患者の状態が異常ではあるが重大ではない（つまり、生命を脅かすものではない、又は永続的な衰弱につながる可能性がない若しくは低い）ことを示す。３番目の状態は、アイコン１０の対応するセクション１２、１４、１６、１８、２０、２２、及び２４で表される患者の状態が重大である（つまり、生命を脅かす、又は永続的な衰弱につながる可能性が高い）ことを示す。第４の状態は、アイコン１０の対応するセクション１２、１４、１６、１８、２０、２２、及び２４によって表される患者の状態が不明であることを示す。これは、身体システム及び生理機能に状態を割り当てるための例示的なシステムに過ぎず、他の状態の定義が考えられる。状態スペースがあまりに大きいと患者状態アイコンの解釈が難しくなるので、一般的に、可能性のある状態の数は少なくすべきであり、例えば、２〜４つ以下、又は最大で５つの状態であるべきである。
【００３２】
各状態は、（例えば研究から得られ得る）臨床情報、及び／又は、該当する分野における医療機関によって発行されているガイドライン（例えば、Ａｍｅｒｉｃａｎ  Ｈｅａｒｔ  Ａｓｓｏｃｉａｔｉｏｎによって発行されている心血管ガイドラインなど）を使用して作成された複数の所定のＣＤＳ規則のセットに基づいて計算される。ある非限定的な例では、心血管系システムについては、以下のＣＤＳ処理が採用され得る。取り出された情報が、患者の心拍数が毎分１６０拍を超える又は毎分４０拍未満であることを示す場合、あるいは、患者の平均血圧が５０ｍｍＨｇ未満である場合、心血管系システムは重大な（すなわち、第３の）状態にある。別の非限定的な例では、呼吸器系システムについて、呼吸数が毎分３０呼吸を超える又は毎分５呼吸未満の場合、あるいは患者の酸素飽和度が８５％未満の場合、呼吸器系システムは重大な状態にある。別の非限定的な例では、呼吸数が毎分２５〜３０呼吸の間、又は毎分５〜１０呼吸の間である場合、呼吸器系システムは異常な（すなわち、第２の）状態にある。別の非限定的な例では、患者の体温が３８℃を超える、患者の白血球数が１５，０００を超える、又は患者の白血球数が３，０００未満の場合、感染生理機能は異常な（つまり、第２の）状態にある。さらに別の非限定的な例では、患者のヘマトクリット値が１９％未満の場合、又は患者のヘモグロビン値が７ｇ／ｄＬ未満の場合、患者の血液システムは重大な（つまり、第３の）状態にある。これらは単なる非限定的な例に過ぎず、より一般的には、ＣＤＳ  ５４は好ましくは、各身体システム又は生理機能の状態を評価するための最新の臨床知識及び専門技術を具体化するＣＤＳガイドラインを実装する。一部の実施形態では、ＣＤＳ５４はモニタリング対象の患者のクラス又はカテゴリに特有のＣＤＳガイドラインを実装し、例えば、障子患者のための小児ＣＤＳガイドライン、又は特定の慢性疾患を有する患者（例えば、慢性心不全を有する患者）に特有のガイドラインなどを使用する。
【００３３】
第４の状態（身体システム又は生理機能の状態が不明であることを示す）は、状態の生成に必要な情報が欠落していることから身体システム又は生理機能の状態を決定するために１つ又は複数のＣＤＳ規則を実行できない場合に割り当てられる。例えば、全身感染生理機能の状態を評価する際に、白血球数が必要な情報であり得る。したがって、白血球数が入手できない場合、全身感染生理機能には、患者が全身感染を有するか否かが不明であることを示す第４の状態が適切に割り当てらる。
【００３４】
ＣＤＳ規則は、身体システム及び生理機能のより正確で堅牢な評価を提供するための当該技術分野で知られている多数の特徴を含み得る。例えば、ＣＤＳ規則には、同じ生理学的パラメータの複数の測定結果を選択又は組み合わせるための規則が含まれ得る。したがって、例えば、心電図（ＥＣＧ）及びパルスオキシメータから心拍数が入手できる場合、ＣＤＳ規則は、より正確である可能性が高いＥＣＧ読み取り値を選択してもよく、又はＥＣＧ及びパルスオキシメータによって出力される心拍数を平均してもよく、又はＥＣＧ及びフォトプレチスモグラフィ信号の信号対ノイズ比（ＳＮＲ）などの品質指標に基づきどちらかを選択してもよい。ＣＤＳ５４によって適用されるＣＤＳ規則はまた、好ましくは、現在の医療知識と実践を反映するために、例えば、最新の心血管アセスメントガイドラインを実装するために、必要に応じて更新される。（これらの更新は、例えば、手動ＣＤＳファームウェア又はソフトウェア更新であり得る）。
【００３５】
１０６において、患者の対応する各身体システム又は生理機能の状態が計算されると、アイコン１０がプロセッサ５６によって生成される。アイコン１０は、表示装置６０上に表示されたとき、セクション１２、１４、１６、１８、２０、２２、及び２４が、患者の対応する身体システム又は生理機能の計算された状態を表す色を含むグラフィカル符号化で表示されるように生成される。ある例では、グラフィカル符号化は、白色が対応する身体システム又は生理機能の通常の計算された状態（すなわち、第１の状態）を表し、黄色が対応する身体システム又は生理機能の重大ではない異常な計算された状態（すなわち、第２の状態）を表し、赤色が対応する身体システム又は生理機能の重大な異常な計算された状態（すなわち、第３の状態）を表し、白色、黄色、又は赤色以外の背景色が対応する身体システム又は生理機能の不確定の計算された状態（すなわち、第４の状態）を表す符号化スキームに従う。アイコン１０が表示装置６０に表示されたとき、取り出された情報に関連するセクション１２、１４、１６、１８、２０、２２、及び２４のそれぞれが、４つの状態のうちの１つを表す色で表示される。それぞれの色に基づいて、医療専門家によって患者に関する情報が決定され得る。カラー符号化は好ましいグラフィカル符号化スキームであるが、カラー符号化の代替として又はカラー符号化に加えて、他のタイプのグラフィカル符号化の採用が考えられる。例えば、第３の（最も緊急の）状態にあるセクションは、当該身体システム又は生理機能の緊急状態を強調するために点滅要素（オン／オフを繰り返す）として表示されてもよいし、又はカラーサイクリングで表示されてもよいし、又はより明るい強度で表示されてもよい。対照的に、セクションが第１の（通常の）状態にある場合は、さらに目立たなくするために、オプションで低強度で表示されてもよい。これらは単なる例示的なオプション機能に過ぎない。
【００３６】
一部の例では、患者状態アイコン１０の生成中に、患者に関する治療情報がアイコン上に表示され得る。（本明細書で使用される「医療情報」という用語は、患者に送達されている医薬療法に関する情報を含む）。例えば、データベース５２から取り出された患者医療情報から、治療を受けている患者の身体システム又は生理機能を治療するために患者に送達されている医薬療法が識別される。医薬療法が識別されると、アイコン１０が表示装置６０上に表示され、治療を受けている身体システム又は生理機能に対応するアイコンセクション１２、１４、１６、１８、２０、２２、及び２４に医薬療法を表す医薬療法インジケータ６２の注釈が付される。例えば、図５Ａ〜図５Ｄでは、医薬療法インジケータ６２のいくつかの例が、医薬療法によって生成された患者を通る流体の流れを表す矢印として示されている。図５Ａでは、矢印６２が心血管アイコンセクション１２内に示されており、血液が体から取り出され、酸素を送り込み、体に戻されるＥＣＭＯ（ｅｘｔｒａｃｏｒｐｏｒｅａｌ  ｍｅｍｂｒａｎｅ  ｏｘｙｇｅｎａｔｉｏｎ）療法を示している。図５Ｂでは、矢印６２が呼吸アイコンセクション１６内に示されており、酸素化されたガスを患者の肺に供給する人工呼吸器を示している。図５Ｃでは、矢印６２が腎臓アイコンセクション１８内に示されており、腎臓透析を示している。図５Ｄでは、矢印６２が心血管アイコンセクション１２内に示されており、昇圧剤療法を示している。これらの治療に関連する情報の全体的収集は、患者の短期的な生存にとって重要であると考えられ、患者に適用されているすべての治療が含まれているわけではない。例えば、いずれかのアイコンセクションが、患者の対応する身体システム又は生理機能の状態が重大であることを示すインジケータ６２を含む場合、患者の対応する身体システム又は生理機能の死又は永久的な障害が発生する可能性がある。
【００３７】
他の例では、患者状態アイコン１０の形状が治療の段階に基づいて変更され得る。図１に示されるように、アイコン１０は菱形として示されている。図６Ａ〜図６Ｅに示されるように、患者状態アイコン１０は五角形、三角形、正方形、六角形、及び楕円形を有することができる。これらの形状はそれぞれ、患者の治療の段階を示し得る。これらの６つの形状のうちの１つは、（１）小児患者、（２）成人患者、（３）術前患者、（４）術中患者、（５）術後形状、又は（６）分娩を行っている女性（分娩前の段階が１つの形状を有し、分娩後が別の宝石形状を有する）に対応し得る。
【００３８】
さらなる任意選択的な機能として、患者状態アイコン１０の各セクションは、例えばマウス、トラックパッド、又は他のポインティング型ユーザ入力デバイスを使用してセクションをクリック又はダブルクリックすることにより、ユーザ選択可能であってもよい。別の選択手段として、ディスプレイ６０はタッチセンシティブディスプレイであってもよく、その場合、ユーザはディスプレイ６０に示されているアイコンセクションに触れてそれを選択することができる。アイコンセクションを選択すると、対応する身体システム又は生理機能に関連する文脈依存情報がポップアップウィンドウ内に又はディスプレイ６０上の他の表示領域内に表示される。同様に、医薬療法インジケータ６２の１つを選択すると、当該療法に関する文脈依存情報が表示されてもよい（例えば、図５Ｂの例に示す機械的人工呼吸器インジケータ６２を選択すると、現在の人工呼吸器のモードと設定を表示するポップアップウィンドウが開かれてもよい）。
【００３９】
患者状態モニタは、データ処理動作が様々に分配された様々なフォームファクタを取り得る。例えば、患者状態モニタはナースステーション及び／又は電子ホワイトボードであり、ＣＤ及びアイコン生成処理は、ナースステーションモニタプロセッサ上でローカルに実行され、及び／又は、有線若しくは無線病院データネットワーク（有線及び／又は無線イーサネット（登録商標）やＷｉＦｉ（登録商標）など）を介してナースステーションと通信する病院サーバにおいてリモートで実行される。別の例では、タブレットコンピュータ又は携帯電話が表示コンポーネント６０を提供し、処理は、タブレット又は携帯電話上で実行されるアプリケーションプログラム（「アプリ」）によって実行され、及び／又は、ＷｉＦｉ（登録商標）、４Ｇ、若しくは別のモバイル通信ネットワークを介してタブレットコンピュータ若しくは携帯電話と通信する病院サーバによって実行される何らかの処理によって実行され得る。これらは相互に排他的なオプションではないことが理解されよう。例えば、あるクロスプラットフォームアプローチでは、ＩＣＵ内の全ての患者の患者状態アイコンが病院サーバコンピュータで生成され、その後、（アイコンが表示される）ナースステーション及び各看護師の携帯電話又はその他のモバイルデバイスの両方に送信される。さらに別の考えられる変形形態として、タブレット、携帯電話、又は他のモバイルデバイスが看護師の個人用デバイスとして使用され、これらのデバイスにＧＰＳがある場合、現在看護師があたっている病室内の患者の患者状態アイコンを示すようにディスプレイが自動的に更新されてもよい。
【００４０】
実施例
アイコン１０を使用したいくつかの臨床シナリオについて説明する。第１の実施例では、ＩＣＵの指揮者（ディレクタ）がユニットに来る。ホワイトボードを表すデジタルスクリーンがステーションによって表示される。スクリーンをレビューすることで、ディレクタは各患者の患者状態アイコン１０を観察し、それらの患者状態アイコンから、少数の患者が複数のシステムで重大な問題を抱えていることを容易に認識する。ディレクタはまた、患者状態アイコンの幾何学的形状に基づいて、ＩＣＵに６人の術後患者を抱えていることを認識する。ディレクタは看護師長と話し合い、患者に割り当てられた看護師とのフォローアップを行う。ディレクタはまた、幾人かの患者がほぼ完全に正常であると見て、それらの患者はＩＣＵからの転室の候補者であり得ると考えられる。これについては看護師長と話し合われ、その日の朝に２人の患者が転室することが決定される。
【００４１】
第２の実施例では、ＩＣＵの看護師が受け持つ患者のうちの１人のベッドの脇にいる。携行しているタブレット上に表示された臨床情報システムを見て、他の患者の心血管系がちょうど赤色に変わったことに気付く。看護師はすぐにアイコンをクリックして詳細を参照する。患者の血圧が以前より低いことに気付くと、看護師は患者のベッドの脇に行き、患者をさらに評価し、適切なアクションを実行する。
【００４２】
第３の実施例では、ある医師は夜勤のために電子ＩＣＵ（ｅＩＣＵ）の勤務にあたり、勤務外になる医師から状態レポートを受け取っている。医師達は、３つの病院と８０人のＩＣＵ患者を対象とする電子ホワイトボード又はナースステーション上のＩＣＵ集団スクリーンの前に座っている。医師達はスクリーンを確認し、患者状態アイコン１０に注目する。５人の患者が、複数のシステムにおいて影響を受けていることを認識すると、医師達は詳細を確認し、勤務にあたる医師と状況について話し合う。一方の医師が去った後、当直医は病院の看護師に電話して患者について話し合い、さらなる評価を要求し、必要に応じて患者の状態に対処するための指示を書く。
【００４３】
患者状態アイコン１０の生成後、アイコンが表示装置６０上に表示される。図７に示すように、ホワイトボード又はナースステーションは、他の患者に関連する他のアイコンを表示装置６０（この例では集中治療室集団スクリーンとして機能する）上に表示する。患者状態アイコンは、集団又はセンサス（ｃｅｎｓｕｓ）スクリーン６４を含む臨床情報システムの一部であり、これは、表示装置６０上のセンサススクリーン上の複数のベッドボックス６６のセットを含む。ベッドボックス６６は、特定の患者の患者情報及び状態を含む。ベッドボックス内には、その患者の患者状態アイコン１０がある。患者の状態に関する新しいデータが来ると、患者状態アイコン１０はリアルタイムで更新される。医療チーム全体で使用することができる。表示装置６０上の通常の表示では、ベッドボックス６６は治療室内のベッドを表し、そのほとんどに患者が割り当てられている。表示装置６０上でベッドボックス６６が選択されると、ベッドボックスが展開し、図８に示されるように当該ベッドボックス自身のユーザインターフェースコンポーネントが現れ、その一つが患者状態アイコン１０である。再び図７を参照して、ディスプレイはさらに、製品名、ログインしているユーザ、及び他の同様の情報を示すサブコンポーネントを含むメニューバー又はナビゲーションバー６８を含む。ベッドリスト７０には、治療室内の全てのベッド及び治療室の名前が含まれる。通知／システム領域ウィンドウ７２には、日付／時刻、通知、及びその他の情報を表示するサブコンポーネントが含まれる。
【００４４】
デバイス１０の例示的な計算的データ処理又はデータインターフェースコンポーネントは、開示される動作を実行するために電子プロセッサ（例えば、電子プロセッサ５６）によって実行可能な命令を格納する非一時的記憶媒体として具現化されてもよい。非一時的記憶媒体は、例えば、ハードディスクドライブ、ＲＡＩＤ、又は他の磁気記憶媒体；ソリッドステートドライブ、フラッシュドライブ、ＥＥＲＯＭ、又はその他の電子メモリ；光ディスク又はその他の光学ストレージ；又はこれらの様々な組み合わせなどを含み得る。
【００４５】
集団又はセンサススクリーン６４には、（非限定的な例として）クライアントやタブレット等の複数のタイプのデバイス上で実行可能なＡｎｇｕｌａｒ  ＪＳ／ＨＴＭＬ５アプリケーションとして記述され得るユーザインターフェース（ＵＩ）が含まれる。患者状態アイコン１０は、その製品のコンポーネントとして実装され得る。このフレームワークには、様々なデバイス上に表示されるユーザインターフェースが含まれ得る。Ａｎｇｕｌａｒ  ＪＳで記述されており、テンプレートとコントローラを含む。ＷｅｂサービスはクライアントＵＩにデータを提供する。Ｗｅｂサービスはデータベース及び更新にアクセスする。これは、Ｃ＃などの任意の標準プログラミング言語で記述され得る。
【００４６】
ポータブルコンポーネントは、データを含み、ＵＩとＷｅｂサービス間のデータ通信に使用される。例えば、これらはＪＳＯＮオブジェクトとして表され得る。これらのポータブルコンポーネントは、ＨＴＭＬ５  Ａｎｇｕｌａｒ  ＪＳのＵＩコンポーネントにバインドされる。ポータブルコンポーネントにおいてデータが変更されるたびに、バインドされているＵＩも変更される。ポータブルコンポーネントは、複数のサブポータブルコンポーネントから構成され得る。例えば、患者ポータブルコンポーネントは、デモグラフィックデータや検査値などのサブコンポーネントを有し得る。このＵＩの例では、それぞれ各自のポータブルコンポーネントにバインドされた様々なコンポーネントが存在する。各ＵＩコンポーネントには、ｈｔｍｌのようなファイルであるテンプレート、及びコントローラが含まれる。コントローラは、フロントエンドＵＩディスプレイのためのＰＯＣＯ（Ｐｌａｉｎ  Ｏｌｄ  ＣＬＲ  Ｏｂｊｅｃｔｓ）を収集し、また、インタラクションを管理する。１つのコントローラが、複数のテンプレート及びＰＯＣＯ、例えば、センサススクリーン６４に表示される全ての情報を管理する。
【００４７】
患者状態アイコン１０は、複数のＳＶＧ（Ｓｃａｌａｂｌｅ  Ｖｅｃｔｏｒ  Ｇｒａｐｈｉｃｓ）画像のグループ化を参照して、Ａｎｇｕｌａｒ  ＪＳファイルにキャプチャされる。ＳＶＧは、一般的に使用されているＵＩコンポーネントであり、画像のソフトウェア操作をサポートする。Ｈｅａｌｔｈ  Ｇｅｍにおける全ての身体システム／関心は個別のＳＶＧ画像である。
【００４８】
患者状態アイコン１０は、患者ポータブルコンポーネントのサブコンポーネントポータブルコンポーネントにバインドされる。患者ポータブルコンポーネントは各身体システムを表す複数のサブコンポーネントを有し、コンポーネントの色を値として返す。色は、規則に基づいて身体システム状態を生成する臨床アルゴリズムに基づく。
【００４９】
テンプレートを管理するコントローラは、Ｗｅｂサービスからポータブルコンポーネントを取得する。この場合、Ｗｅｂサービスは、臓器システムとその色に関する情報を持つ患者ポータブルコンポーネントを返す。Ｗｅｂサービスは、多くの場合、ＳＱＬデータベースなどに対して、記憶されているプロシージャを使用してデータベースからの情報にアクセスするデータプロバイダを使用する。
【００５０】
患者状態アイコン１０は、複数の製品で使用されるように設計される。これには、テンプレート及びポータブルコンポーネントが含まれる。これらの２つは、Ｗｅｂ技術に基づいた任意の製品において使用され得る。
【００５１】
Ｗｅｂブラウザーインターフェースを使用しない製品の場合、患者状態アイコン１０ＳＶＧをＣ＃などのソフトウェアコードでカプセル化することによって標準ＭｉｃｒｏｓｏｆｔＵＩコンポーネントにすることができる。ＵＩコンポーネントとして、サイズ変更や形状変更などの基本的機能を有する。また、個々の身体システムの色や状態を設定するための特殊機能を有する。このバージョンでは、複数のＭｉｃｒｏｓｏｆｔ  ＵＩコンポーネントの集合としてユーザにビューが表示される。ビューは、バックエンドサービスからデータ、及びモデルと呼ばれる構成情報を取得する。また、ビューは、Ｗｅｂアプローチで使用されるものと同じＷｅｂサービスを使用することもできる。
【００５２】
本開示を好適な実施形態を参照しながら説明してきた。上記の詳細な説明を読んで理解した当業者は、改変や変更に想到する可能性がある。本発明は、添付の特許請求の範囲又はその均等物の範囲内にある限りにおいて、そのような改変及び変更の全てを含むと解釈されることが意図される。
【図１】
2020510933.tif 000003
【図２Ａ】
2020510933.tif 000004
【図２Ｂ】
2020510933.tif 000005
【図３】
2020510933.tif 000006
【図４】
2020510933.tif 000007
【図５】
2020510933.tif 000008
【図６Ａ】
2020510933.tif 000009
【図６Ｂ】
2020510933.tif 000010
【図６Ｃ】
2020510933.tif 000011
【図６Ｄ】
2020510933.tif 000012
【図６Ｅ】
2020510933.tif 000013
【図７】
2020510933.tif 000014
【図８】
2020510933.tif 000015
【国際調査報告】
2020510933.tif 000016
2020510933.tif 000017
2020510933.tif 000018